(57)【要約】      （修正有）【課題】組立作業を簡単安価に行い外観上の体裁を良好に維持する。【解決手段】筐体２内に設けられるローダーユニット１の合成樹脂製ローダーシャーシ３の下面３ａにメイン基板５が配置され、そのローダーシャーシ３及びメイン基板５を筐体２のボトムシャーシ１１にビス２１，２２で止着することにより該メイン基板５の後端縁が筐体２のリアパネル１２に当接または接近されるようにしたディスク装置において、メイン基板５を取り囲むようにしてローダーシャーシ３の下面３ａに所定間隔をおいて複数の突起片２３が弾性変位可能に一体突設され、該各突起片２３の先端から互いに対向するように側方に突出するフック部２４が設けられており、該各フック部２４にメイン基板５を係合させることにより、該メイン基板５がローダーシャーシ３の下面３ａに一定範囲内移動可能に係止されている。【選択図】図１
2012053930.tif 000002
【特許請求の範囲】
【請求項１】
フロントパネル、ボトムシャーシ、リアパネル及びトップカバーからなる筐体内に設け
られるローダーユニットの合成樹脂製ローダーシャーシの下面にメイン基板が配置され、
そのローダーシャーシ及びメイン基板をボトムシャーシに止着することにより該メイン基
板の後端縁がリアパネルに当接または接近されるようにしたディスク装置において、前記
メイン基板を取り囲むようにしてローダーシャーシの下面に所定間隔をおいて複数の突起
片が弾性変位可能に一体突設され、該各突起片の先端から互いに対向するように側方に突
出するフック部が設けられており、該各フック部にメイン基板を係合させることにより、
該メイン基板がローダーシャーシの下面に沿って前後方向及びそれと直交する左右方向に
一定範囲内移動可能に係止されるようにしたことを特徴とするディスク装置。
【請求項２】
前記複数の突起片のうち、少なくともその一つの基端から側方に突出する操作部が設け
られており、該操作部を押圧して突起片を傾かせることにより、フック部がメイン基板か
ら離間されるようにしたことを特徴とする請求項１に記載のディスク装置。
【請求項３】
前記メイン基板の後端部に位置決め孔が貫設され、該位置決め孔に嵌脱可能な位置決め
片がボトムシャーシに一体形成されており、ローダーシャーシをボトムシャーシ上に載置
し、位置決め孔を位置決め片に嵌合させることにより、メイン基板が位置決めされるよう
にしたことを特徴とする請求項１または２に記載のディスク装置。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置に関し、特に、組立作業を簡単安価に行い外観上の体裁を良好に維持すること
ができるようにしたものである。
【背景技術】
【０００２】
従来、ディスク装置の一例として図５及び図６に示すものがある。これは、ローダーユ
ニット１を筐体２内に設けたものである。
【０００３】
前記ローダーユニット１は、合成樹脂製ローダーシャーシ３内に、光ディスク（図示せ
ず）を載置するためのトレイ４及び光ディスクに記録されている情報を読み取り再生や録
画を行なうための光ピックアップ（図示せず）などを配置したものであって、ローダーシ
ャーシ３の下面３ａにプリント配線基板からなるメイン基板５が複数のビス６により止着
され、該メイン基板５の後端部にＨＤＭＩ端子やＵＳＢ端子などの電子部品７が配置され
ている。
【０００４】
前記筐体２は、フロントパネル９、脚部１０付きボトムシャーシ１１、リアパネル１２
及びトップカバー１３を有し、フロントパネル９の裏面に一体連結した支持枠１４の下端
にボトムシャーシ１１の前端が連結され、リアパネル１２の下端がボトムシャーシ１１の
後端から直角に折り曲げた起立部１１ａにビス１５により止着され、トップカバー１３の
前端縁から前方ａに突出する突起片１３ａがフロントパネル９の上端から後方ｂに延びる
天板部９ａの後端凹部１６内に差し込まれると共に、該トップカバー１３の後端から直角
に折り曲げた垂下部１３ｂがリアパネル１２の上端にビス１７により止着されている。
【０００５】
前記ボトムシャーシ１１上に所定間隔をおいて平行する左右一対のローダーブラケット
１９がビス２０により止着され、該両ローダーブラケット１９上にローダーシャーシ３の
両側縁部３ｂが載置されてビス２１により止着されている。
【０００６】
前記ボトムシャーシ１１の後部から切り起こした左右一対の立ち上がり部１１ｂ上にメ
イン基板５の後部が載置されてビス２２により止着されている。
【０００７】
組立手順を説明すると、図６に示すように、ローダー組立ラインで、ローダーシャーシ
３の下面３ａにメイン基板５を複数のビス６により止着し、図５に示すように、完成品ラ
インで、ローダーシャーシ３の両側縁部３ｂを両ローダーブラケット１９上に載置してビ
ス２１で止着すると共に、メイン基板５の後部を各立ち上がり部１１ｂ上に載置してビス
２２で止着し、リアパネル１２の下端をボトムシャーシ１１の起立部１１ａにビス１５で
止着し、トップカバー１３の突起片１３ａをフロントパネル９の後端凹部１６内に差し込
むと共に、該トップカバー１３の垂下部１３ｂをリアパネル１２の上端にビス１７で止着
する。なお、関連する技術として特許文献１に記載したものがある。
【先行技術文献】
【特許文献】
【０００８】
【特許文献１】実用新案登録第３１０７００４号公報
【発明の概要】
【発明が解決しようとする課題】
【０００９】
上記従来の構成では、メイン基板５をローダーシャーシ３の下面３ａに止着するために
複数のビス６を用いているため、その複数のビス６により部品点数が増加してコストアッ
プになると共に、ビス６による止着作業に手間がかかって面倒である。
【００１０】
また、複数のビス６による止着後は、メイン基板５の位置を前後方向ａ．ｂ及びそれと
直交する左右方向ｃ，ｄに微調整することができないため、そのメイン基板５が寸法誤差
（例えば０．５ｍｍ）により後方ｂに位置ずれした状態で各立ち上がり部１１ｂにビス２
２で止着された場合には、完成品ラインで、メイン基板５の後端部に配置したＨＤＭＩ端
子やＵＳＢ端子などの電子部品７によりリアパネル１２が後方ｂに押されて傾き（図５仮
想線参照）、トップカバー１３も後方ｂに引っ張られて、そのトップカバー１３の前端縁
とフロントパネル９との間に比較的大きな隙間αが生じることがあり（図５拡大図参照）
、これでは外観上の体裁が悪くなる。
【００１１】
本発明は上記欠点に鑑み、組立作業を簡単安価に行い外観上の体裁を良好に維持するこ
とができるようにしたディスク装置を提供することを目的としている。
【課題を解決するための手段】
【００１２】
上記目的を達成するため、請求項１に記載の発明は、フロントパネル、ボトムシャーシ
、リアパネル及びトップカバーからなる筐体内に設けられるローダーユニットの合成樹脂
製ローダーシャーシの下面にメイン基板が配置され、そのローダーシャーシ及びメイン基
板をボトムシャーシに止着することにより該メイン基板の後端縁がリアパネルに当接また
は接近されるようにしたディスク装置において、前記メイン基板を取り囲むようにしてロ
ーダーシャーシの下面に所定間隔をおいて複数の突起片が弾性変位可能に一体突設され、
該各突起片の先端から互いに対向するように側方に突出するフック部が設けられており、
該各フック部にメイン基板を係合させることにより、該メイン基板がローダーシャーシの
下面に沿って前後方向及びそれと直交する左右方向に一定範囲内移動可能に係止されるよ
うにしたことを特徴としている。
【００１３】
請求項２に記載の発明は、請求項１に記載の発明において、前記複数の突起片のうち、
少なくともその一つの基端から側方に突出する操作部が設けられており、該操作部を押圧
して突起片を傾かせることにより、フック部がメイン基板から離間されるようにしたこと
を特徴としている。
【００１４】
請求項３に記載の発明は、請求項１または２に記載の発明において、前記メイン基板の
後端部に位置決め孔が貫設され、該位置決め孔に嵌脱可能な位置決め片がボトムシャーシ
に一体形成されており、ローダーシャーシをボトムシャーシ上に載置し、位置決め孔を位
置決め片に嵌合させることにより、メイン基板が位置決めされるようにしたことを特徴と
している。
【発明の効果】
【００１５】
請求項１に記載の発明によれば、複数の突起片に設けたフック部にメイン基板を係合さ
せるだけで、該メイン基板をローダーシャーシの下面に簡単に係止することができ、その
係止状態で、メイン基板の位置をローダーシャーシの下面に沿って前後方向及びそれと直
交する左右方向に沿って微調整することにより、そのメイン基板をボトムシャーシ上の所
定位置に配置することができ、従来のようにメイン基板の後端縁によりリアパネルが後方
に押されてトップカバーの前端縁とフロントパネルとの間に比較的大きな隙間が生じない
ようにすることができ、外観上の体裁を良好に維持することができる。
【００１６】
また、メイン基板を係止するために用いた複数のフック部付き突起片がローダーシャー
シに一体突設されており、従来のビスを用いて係止する場合に比べて、部品点数が少なく
なってコストダウンを図ることができると共に、面倒な止着作業が無いから、作業能率を
向上させることができる。
【００１７】
請求項２に記載の発明によれば、操作部を押圧し、突起片を傾かせてフック部をメイン
基板から離間させることにより、該メイン基板をローダーシャーシから簡単に取り外すこ
とができる。
【００１８】
請求項３に記載の発明によれば、ローダーシャーシをボトムシャーシ上に載置し、メイ
ン基板の位置決め孔を位置決め片に嵌合させるだけで、該メイン基板をボトムシャーシ上
の所定位置に正確に位置決めすることができる。
【図面の簡単な説明】
【００１９】
【図１】本発明の実施の一形態であるディスク装置の縦断面図である。
【図２】同メイン基板付きローダーユニットの下面側斜視図である。
【図３】（ａ）は同要部の拡大横断面図、（ｂ）は同要部の拡大縦断面図、（ｃ）は同要部の斜視図である。
【図４】同他の要部の拡大斜視図である。
【図５】従来例を示す縦断面図である。
【図６】同メイン基板付きローダーユニットの下面側斜視図である。
【発明を実施するための形態】
【００２０】
図１〜図４は本発明の実施の一形態であるディスク装置を示すものであり、これは例え
ばＢｌｕ−ｒａｙ  Ｄｉｓｃ式のレコーダ（またはプレーヤ）であって、メイン基板５の
両側縁及び前端縁に対向して該メイン基板５を取り囲むようにして複数（この実施の一形
態では３つ）の突起片２３がローダーシャーシ３の下面３ａに弾性変位可能に一体突設さ
れ、該各突起片２３の先端から互いに対向するように側方に突出するフック部２４が設け
られ、該各フック部２４の外端面がローダーシャーシ３の中央に向かって該ローダーシャ
ーシ３に接近するように傾斜する傾斜面２４ａとされ、図３（ａ）及び（ｃ）に示すよう
に、複数の突起片２３のうちの一つ（または複数）の基端からフック部２４とは逆向きに
側方に突出する操作部２５が設けられている。
【００２１】
図４に示すように、メイン基板５の後端部に左右方向ｃ，ｄに延びる長孔状の位置決め
孔２６が貫設され、ボトムシャーシ１１の起立部１１ａの上端に一体形成されてＬ字状に
折れ曲がる位置決め片２７の先端が位置決め孔２６に対して嵌脱可能に形成されている。
なお、図２中、２８はメイン基板５に対向してローダーシャーシ３の下面３ａに一体突設
した基板支持台である。上記以外の構成は図５及び図６に示す構成とほぼ同じであるから
、同一部分に同一符号を付してその説明を省略する。
【００２２】
組立手順を説明すると、図２に示すように、ローダー組立ラインで、メイン基板５を各
フック部２４の傾斜面２４ａに押し付けることにより各突起片２３を弾性変位させ、各フ
ック部２４を押し分けることにより、該メイン基板５をローダーシャーシ３の基板支持台
２８に当接させる。この当接状態では、メイン基板５が各フック部２４に係合してローダ
ーシャーシ３の下面３ａに係止され、メイン基板５と各突起片２３との間に若干の隙間ｔ
〔図３（ａ）（ｂ）参照〕が形成されているので、そのメイン基板５がローダーシャーシ
３の下面３ａに沿って前後方向ａ．ｂ及び左右方向ｃ，ｄに一定範囲内移動可能にされて
いる。
【００２３】
続いて、図１に示すように、完成品ラインで、ローダーシャーシ３の両側縁部３ｂを両
ローダーブラケット１９上に載置してビス２１で止着すると共に、メイン基板５の位置決
め孔２６を位置決め片２７の先端に嵌合させることにより、該メイン基板５を前後方向ａ
．ｂ及び左右方向ｃ，ｄに微調整して位置決めし、そのメイン基板５の後部を各立ち上が
り部１１ｂ上に載置してビス２２で止着する。その後、リアパネル１２の下端をボトムシ
ャーシ１１の起立部１１ａにビス１５で止着し、トップカバー１３の突起片１３ａをフロ
ントパネル９の後端凹部１６内に差し込むと共に、該トップカバー１３の垂下部１３ｂを
リアパネル１２の上端にビス１７で止着する。
【００２４】
メイン基板５をローダーシャーシ３から取り外す場合には、図３（ａ）に仮想線で示す
ように、操作部２５を押圧し、突起片２３を傾かせてフック部２４をメイン基板５から離
間させ、該メイン基板５の係止を解除する。
【００２５】
上記構成によれば、複数の突起片２３に設けたフック部２４にメイン基板５を係合させ
るだけで、該メイン基板５をローダーシャーシ３の下面３ａに簡単に係止することができ
、その係止状態で、メイン基板５の位置をローダーシャーシ３の下面３ａに沿って前後方
向ａ．ｂ及びそれと直交する左右方向ｃ，ｄに沿って微調整することにより、そのメイン
基板５をボトムシャーシ１１上の所定位置に配置することができ、従来のようにメイン基
板５の後端部に配置したＨＤＭＩ端子やＵＳＢ端子などの電子部品７によりリアパネル１
２が後方ｂに押されてトップカバー１３の前端縁とフロントパネル９との間に比較的大き
な隙間α（図５拡大図参照）が生じないようにすることができ、外観上の体裁を良好に維
持することができる。
【００２６】
また、メイン基板５を係止するために用いた複数のフック部２４付き突起片２３がロー
ダーシャーシ３に一体突設されており、従来のビス６（図６参照）を用いて係止する場合
に比べて、部品点数が少なくなってコストダウンを図ることができると共に、面倒な止着
作業が無いから、作業能率を向上させることができる。
【００２７】
更に、操作部２５を押圧し、突起片２３を傾かせてフック部２４をメイン基板５から離
間させることにより、該メイン基板５をローダーシャーシ３から簡単に取り外すことがで
きる。
【００２８】
しかも、ローダーシャーシ３をボトムシャーシ１１上に載置し、メイン基板５の位置決
め孔２６を位置決め片２７の先端に嵌合させるだけで、該メイン基板５をボトムシャーシ
１１上の所定位置に正確に位置決めすることができる。
【符号の説明】
【００２９】
１              ローダーユニット
２              筐体
３              ローダーシャーシ
５              メイン基板
９              フロントパネル
１１            ボトムシャーシ
１２            リアパネル
１３            トップカバー
２３            突起片
２４            フック部
２５            操作部
２６            位置決め孔
２７            位置決め片
ａ，ｂ          前後方向
ｃ，ｄ          左右方向
【図１】
2012053930.tif 000003
【図２】
2012053930.tif 000004
【図３】
2012053930.tif 000005
【図４】
2012053930.tif 000006
【図５】
2012053930.tif 000007
【図６】
2012053930.tif 000008